(57)【要約】【課題】フラッシングでノズルから吐出される液体が飛散することを抑制することが可能な液体噴射装置を提供する。【解決手段】インクジェット式プリンターは、搬送される記録用紙１３にノズル形成面１５ａに形成されたノズル１６からインクを噴射する記録ヘッド１５と、ノズル形成面１５ａと対向し、かつ回転可能に配置され、記録用紙１３を支持する支持面３１ｃとノズル１６から噴射されたインクを吸収するインク吸収材とを有するプラテン部材１８とを備えている。前記プラテン部材１８は、ノズル形成面１５ａにインク吸収材の表面である吸収面３０ａを対向させた場合の、ノズル形成面１５ａと垂直な方向における中心軸線Ｓから吸収面３０ａまでの最大距離が、ノズル形成面１５ａに支持面３１ｃを対向させた場合の、ノズル形成面１５ａと垂直な方向における中心軸線Ｓから支持面３１ｃまでの最大距離よりも長くなっている。【選択図】図１
2011116122.tif 000002
【特許請求の範囲】
【請求項１】
搬送されるターゲットにノズル形成面に形成されたノズルから液体を噴射する液体噴射ヘッドと、
前記ノズル形成面と対向し、かつ回転可能に配置され、前記ターゲットを支持する支持面と前記ノズルから噴射された前記液体を吸収する吸収面とを有するとともに、回転中心から前記吸収面までの第１の最大距離が、前記回転中心から前記支持面までの第２の最大距離よりも長い回転部材と、
を備える液体噴射装置。
【請求項２】
前記ノズル形成面に前記吸収面を対向させた場合の前記ノズル形成面と垂直な方向における前記第１の最大距離が、前記ノズル形成面に前記支持面を対向させた場合の前記ノズル形成面と垂直な方向における前記第２の最大距離よりも長い、
請求項１に記載の液体噴射装置。
【請求項３】
前記ノズル形成面と垂直な方向における前記回転中心から前記ノズル形成面までの距離は一定である、
請求項１または２に記載の液体噴射装置。
【請求項４】
前記吸収面は、前記回転部材の回転中心を中心とした円弧面になっている、
請求項１から３のいずれか１項に記載の液体噴射装置。
【請求項５】
前記吸収面及び前記支持面は、前記回転部材の回転方向に沿って交互に複数配置されている、
請求項１から４のいずれか１項に記載の液体噴射装置。
【発明の詳細な説明】
【技術分野】
【０００１】
本発明は、例えばインクジェット式プリンターなどの液体噴射装置に関する。
【背景技術】
【０００２】
一般に、液体噴射ヘッドから液体を噴射させる液体噴射装置として、インクジェット式プリンター（以下、「プリンター」という。）が広く知られている。このプリンターは、インク（液体）を収容するインクカートリッジから記録ヘッド（液体噴射ヘッド）にインクを供給し、そのインクを記録ヘッドのノズル形成面に形成されたノズルから記録用紙（ターゲット）に噴射することにより印刷を行うようになっている。
【０００３】
こうしたプリンターでは、印刷時または非印刷時にノズル内のインクが乾燥して目詰まりすることを抑制するべく、全ノズルから印刷以外の目的でインクを吐出するフラッシングが適宜行われる。フラッシングは、通常、印刷が行われない非印刷領域にて行われるが、記録ヘッドの位置が固定されたラインヘッドプリンターの場合には印刷領域で行われる。
【０００４】
そして、従来、印刷領域でフラッシングが行われるラインヘッドプリンターとしては、特許文献１に記載されたものが知られている。この特許文献１のプリンターでは、中心軸を中心に回動自在に配置されたプラテン部材（回転部材）がインク吸収面（吸収面）と記録紙支持面（支持面）とを有している。
【０００５】
そして、印刷時には記録紙支持面がラインヘッド（記録ヘッド）のインク吐出口（ノズル）と対峙するようにプラテン部材を回動させて該プラテン部材を記録紙（ターゲット）の支持部材として機能させている。一方、非印刷時にはインク吸収面がラインヘッドのインク吐出口と対峙するようにプラテン部材を回動させて該プラテン部材をフラッシングインクの吸収部材として機能させている。
【先行技術文献】
【特許文献】
【０００６】
【特許文献１】特開２００３−３４１１５８号公報
【発明の概要】
【発明が解決しようとする課題】
【０００７】
ところで、特許文献１に記載のプリンターにおいて、プラテン部材は、中心軸からインク吸収面までの距離が中心軸から記録紙支持面までの距離よりも短くなっている。このため、ラインヘッドからインク吸収面までの距離（特許文献１の図４（ｂ）参照）がラインヘッドから記録紙までの距離（特許文献１の図４（ａ）参照）よりも長くなる。この結果、フラッシングでインク吐出口から吐出されたフラッシングインクがミスト状になって飛散し、プリンター内が該フラッシングインクによって汚染されてしまうという問題があった。
【０００８】
本発明は、このような従来技術に存在する問題点に着目してなされたものである。その目的とするところは、フラッシングでノズルから吐出される液体が飛散することを抑制することが可能な液体噴射装置を提供することにある。
【課題を解決するための手段】
【０００９】
上記目的を達成するために、本発明の液体噴射装置は、搬送されるターゲットにノズル形成面に形成されたノズルから液体を噴射する液体噴射ヘッドと、ノズル形成面と対向し、かつ回転可能に配置され、ターゲットを支持する支持面とノズルから噴射された液体を吸収する吸収面とを有するとともに、回転中心から吸収面までの第１の最大距離が、回転中心から支持面までの第２の最大距離よりも長い回転部材と、を備える。
【００１０】
この発明によれば、回転部材を回転することで支持面と吸収面とをノズル形成面と対向する。そして、回転中心から吸収面までの最大距離が、回転中心から支持面までの最大距離よりも長いため、支持面とノズル形成面との距離と、吸収面とノズル形成面との距離とを回転部材の回転により容易に変更することができる。
【００１１】
本発明の液体噴射装置において、ノズル形成面に吸収面を対向させた場合のノズル形成面と垂直な方向における第１の最大距離が、ノズル形成面に支持面を対向させた場合のノズル形成面と垂直な方向における第２の最大距離よりも長くなっている。
【００１２】
この発明によれば、支持面がノズル形成面と対向するように回転部材を回動させた場合における支持面とノズル形成面との距離よりも、吸収面がノズル形成面と対向するように回転部材を回動させた場合における吸収面とノズル形成面との距離の方が短くなる。すなわち、回転部材は、支持面によってターゲットを支持するときの位置態様よりも、吸収面によってフラッシングでノズルから吐出される液体を受け止めて吸収するときの位置態様の方が、ノズル形成面との距離が短くなる。したがって、フラッシングでノズルから吐出される液体が飛散することを抑制することが可能となる。
【００１３】
本発明の液体噴射装置において、ノズル形成面と垂直な方向における回転中心からノズル形成面までの距離は一定である。
この発明によれば、液体噴射ヘッドと回転中心の距離を一定にして、回転部材を回転するだけでよい。液体噴射ヘッドまたは回転部材をノズル形成面と垂直な方向に移動させると、移動により位置ズレが発生することがあるが、本発明では回転部材を回転しているだけなので、移動による位置ズレを発生せず、液体噴射ヘッドと回転部材の距離の精度を保つことができる。
【００１４】
本発明の液体噴射装置において、前記吸収面は前記回転部材の回転中心を中心とした円弧面になっている。
この発明によれば、吸収面がノズル形成面と対向するように回転部材を回動させる際の回動角度に多少の誤差があっても、吸収面とノズル形成面との距離が変わらないため、該誤差を吸収することが可能となる。
【００１５】
本発明の液体噴射装置において、前記回転部材における前記吸収面及び前記支持面は該回転部材の回転方向に沿って交互に複数配置されている。
この発明によれば、吸収面をノズル形成面と対向させる場合と支持面をノズル形成面と対向させる場合との間で回転部材を回動させる際の回動時間を短縮することが可能となる。
【図面の簡単な説明】
【００１６】
【図１】実施形態において、プラテン部材を、記録用紙を支持する印刷位置態様にしたときのインクジェット式プリンターの概略構成を示す模式図。
【図２】実施形態において、プラテン部材を、フラッシングで吐出されるインクを受容するフラッシング位置態様にしたときのインクジェット式プリンターの概略構成を示す模式図。
【図３】同プリンターのプラテン部材の斜視図。
【図４】実施形態において、（ａ）はプラテン部材の分解図、（ｂ）はプラテン部材の断面図。
【図５】実施形態のインクジェット式プリンターの電気的構成を示すブロック図。
【図６】変更例のプラテン部材を示す正面図。
【図７】変更例のプラテン部材を示す正面図。
【図８】変更例のプラテン部材を示す正面図。
【図９】変更例のプラテン部材を示す正面図。
【図１０】変更例のプラテン部材を示す正面図。
【図１１】変更例のプラテン部材を示す正面図。
【発明を実施するための形態】
【００１７】
以下、本発明の液体噴射装置をインクジェット式プリンターに具体化した一実施形態を図面に従って説明する。
図１に示すように、液体噴射装置としてのインクジェット式プリンター１１は上流側である左側から下流側である右側に向かってターゲットとしての記録用紙１３を所定間隔で順次搬送するための複数（本実施形態では４組）の上下一対の搬送ローラー１２を備えている。各搬送ローラー１２は、各記録用紙１３の搬送間隔よりも短い間隔で配置されており、搬送モーター１４（図５参照）によってそれぞれ駆動されるようになっている。
【００１８】
記録用紙１３の搬送経路の真上には、該搬送経路に沿って搬送される記録用紙１３に液体としてのインクを噴射するための液体噴射ヘッドとしての記録ヘッド１５が固定状態で配置されている。記録ヘッド１５は、水平方向において記録用紙１３の搬送経路と直交する方向に延びており、長手方向の長さが記録用紙１３の幅よりも若干長くなるように設定されている。記録ヘッド１５にはインクカートリッジ（図示略）からインクが供給されるようになっており、該記録ヘッド１５の下面は複数のノズル１６が開口する水平なノズル形成面１５ａになっている。各ノズル１６は、ノズル形成面１５ａ上において記録ヘッド１５の延びる方向に沿って配列されている。
【００１９】
記録ヘッド１５の真下には、該記録ヘッド１５のノズル形成面１５ａに対して記録用紙１３の搬送経路を挟んで対向するように配置されるとともに該搬送経路に沿って搬送される記録用紙１３を支持する回転部材としてのプラテン部材１８が配置されている。プラテン部材１８は、記録ヘッド１５の延びる方向に沿って延びるとともに、記録ヘッド１５よりも長さが若干長くなるように設定されている。このプラテン部材１８は、回動モーター１９（図５参照）により、該プラテン部材１８の中心軸線Ｓを中心として正逆両方向に回転駆動可能になっている。すなわち、本実施形態では中心軸線Ｓがプラテン部材１８の回転中心になっている。
【００２０】
回動モーター１９の出力軸（図示略）には、プラテン部材１８の回転角度を検出するためのロータリーエンコーダー２０（図５参照）が設けられている。また、記録用紙１３の搬送経路におけるプラテン部材１８と記録ヘッド１５との間の領域である印刷領域Ｒのやや上流側（図１では左側）の位置には、搬送される記録用紙１３の搬送方向側の端部を検出する紙端センサー２１が配置されている。なお、搬送経路に沿って搬送される各記録用紙１３同士の間隔は、印刷領域Ｒよりも広くなるように設定されている。
【００２１】
また、記録ヘッド１５内には、各ノズル１６からインクを噴射させるための圧電素子１７（図５参照）が設けられている。そして、この圧電素子１７（図５参照）の駆動により、インクカートリッジ（図示略）内のインクがインクカートリッジ（図示略）から記録ヘッド１５へと供給され、該記録ヘッド１５の各ノズル１６からプラテン部材１８上に給送された記録用紙１３に噴射されて印刷が行われるようになっている。
【００２２】
次に、プラテン部材１８の構成について詳述する。
図３及び図４（ａ）に示すように、プラテン部材１８は、略円柱状なす可撓性の多孔質部材よりなる吸収部としてのインク吸収材３０（液体吸収材）と、該インク吸収材３０に対して該インク吸収材３０を両側から挟むように取着される一対の支持部材３１（支持面形成部材）とを備えている。
【００２３】
各支持部材３１は、硬質の合成樹脂で構成されており、長手方向の長さがインク吸収材３０の長手方向の長さと同じになるように設定された矩形板状の支持部３１ａと、該支持部３１ａの内側面に設けられた矩形板状の凸条３１ｂとを備えている。凸条３１ｂは、支持部３１ａの内側面における短手方向の中央部において該支持部３１ａの長手方向に沿って延びており、支持部３１ａと直角に交わっている。この場合、凸条３１ｂの長手方向の両端は、支持部３１ａの長手方向の両端までは達していない。すなわち、支持部材３１において、長手方向における凸条３１ｂの長さは支持部３１ａの長さよりも両端部が若干短くなっている。
【００２４】
一方、インク吸収材３０はその長手方向から見て略円形状をなしており、該インク吸収材３０の周面（表面）にはその中心軸線Ｓを通る貫通孔３２が支持部材３１の凸条３１ｂと対応するように形成されている。そして、図４（ｂ）に示すように、インク吸収材３０の貫通孔３２に対して各支持部材３１の凸条３１ｂを該貫通孔３２の両側からそれぞれ挿入し、該各支持部材３１の凸条３１ｂの先端同士を該貫通孔３２内で接合することで、インク吸収材３０に各支持部材３１がそれぞれ取着されてプラテン部材１８が形成されるようになっている。
【００２５】
このとき、各支持部材３１の支持部３１ａはそれらの厚み分だけインク吸収材３０にそれぞれめり込んでおり、該各支持部３１ａの外側面はインク吸収材３０の周面とほぼ面一になっている。そして、各支持部３１ａの外側面は搬送経路に沿って搬送される各記録用紙１３を印刷領域Ｒにおいて支持するための支持面３１ｃとされ、該支持面３１ｃは平坦面になっている。
【００２６】
インク吸収材３０の周面（表面）において各支持部材３１によって覆われていない部分、すなわちインク吸収材３０の周面における各支持面３１ｃ同士の間の部分は、記録ヘッド１５の各ノズル１６から噴射されるインクを受け止めて吸収する吸収面３０ａとされている。したがって、プラテン部材１８の周面は、該プラテン部材１８の回転方向（周方向）に沿って支持面３１ｃと吸収面３０ａとが２つずつ交互に現れるようになっている。
【００２７】
そして、プラテン部材１８は、図４（ｂ）に示すように、上下に吸収面３０ａをそれぞれ位置させて長手方向から見た場合に支持面３１ｃが左右にそれぞれ位置する状態となり、この状態では上下方向及び左右方向において対称な形状になっている。なお、各吸収面３０ａは中心軸線Ｓを中心とした円弧面になっている。
【００２８】
図１、図２、及び図４（ｂ）に示すように、プラテン部材１８は、記録ヘッド１５のノズル形成面１５ａに吸収面３０ａを対向させた場合のノズル形成面１５ａと垂直な方向（本実施形態では鉛直方向）における中心軸線Ｓから吸収面３０ａの頂点までの距離Ｂ（中心軸線Ｓから吸収面３０ａまでの最大距離）の方が、ノズル形成面１５ａに支持面３１ｃを対向させた場合のノズル形成面１５ａと垂直な方向における中心軸線Ｓから支持面３１ｃまでの距離Ａ（最大距離）よりも長くなるように設定されている。
【００２９】
この場合、支持面３１ｃは平坦面であるため、ノズル形成面１５ａに支持面３１ｃを対向させた場合のノズル形成面１５ａと垂直な方向における中心軸線Ｓから支持面３１ｃ上の全ての位置までの距離は互いに同じになっている。
【００３０】
図５に示すように、インクジェット式プリンター１１は、装置全体を統括制御する制御部３３を備えている。制御部３３の入力側インターフェイス（図示略）には、紙端センサー２１及びロータリーエンコーダー２０が電気的に接続されている。また、制御部３３の出力側インターフェイス（図示略）には、搬送モーター１４、圧電素子１７、及び回動モーター１９が電気的に接続されている。そして、制御部３３は、紙端センサー２１及びロータリーエンコーダー２０から送信される信号に基づいて、搬送モーター１４、圧電素子１７、及び回動モーター１９の駆動を個別に制御するようになっている。
【００３１】
次に、インクジェット式プリンター１１の作用について説明する。
さて、記録用紙１３の印刷を行う場合には、まず、回動モーター１９を駆動して、記録ヘッド１５のノズル形成面１５ａに支持面３１ｃが対向するようにプラテン部材１８を回動させて、該プラテン部材１８を印刷時の位置態様である印刷位置態様（図１に示す位置態様）にする。続いて、搬送モーター１４を駆動して複数の記録用紙１３を搬送経路に沿って順次搬送する。そして、記録用紙１３の搬送方向の前端が紙端センサー２１によって検出されて該記録用紙１３が印刷領域Ｒに差し掛かると、圧電素子１７を駆動する。
【００３２】
すると、プラテン部材１８の支持面３１ｃに支持されながら搬送される記録用紙１３に向かって記録ヘッド１５の各ノズル１６からインクが噴射されて該記録用紙１３に印刷が施される。このようにして、各記録用紙１３は、上流側から下流側に向かって搬送されながら順次印刷される。
【００３３】
ここで、各記録用紙１３の印刷を行っている間、各ノズル１６のうちで該印刷に使用しないノズル１６内のインクは乾燥して増粘するため、該印刷に使用しないノズル１６から次にインクを噴射する際にうまくインクが噴射されなくなるおそれがある。このため、通常は、印刷時に定期的に全てのノズル１６から印刷とは無関係にインクを吐出させるフラッシングを行って各ノズル１６内のインクの増粘を抑制する必要がある。
【００３４】
そして、本実施形態では、記録用紙１３と記録用紙１３との間にてフラッシングが行われる。すなわち、フラッシングを行う場合には、印刷領域Ｒに記録用紙１３が位置しないタイミングで、回動モーター１９を駆動して、記録ヘッド１５のノズル形成面１５ａに吸収面３０ａが対向するようにプラテン部材１８を９０度回動させて、該プラテン部材１８をフラッシング時の位置態様であるフラッシング位置態様（図２に示す位置態様）にする。
【００３５】
この状態で、フラッシングを行うと、各ノズル１６から吐出されたフラッシングインクはプラテン部材１８の吸収面３０ａに着弾した後、インク吸収材３０に吸収されて保持される。以上の作用において、記録ヘッド１５とプラテン部材１８は、記録ヘッド１５のノズル形成面１５ａに垂直な方向への移動はない。そのため、ノズル形成面１５ａと垂直な方向における中心軸線Ｓからノズル形成面１５ａまでの距離は変わることなく一定となっている。そして、中心軸線Ｓから吸収面３０ａの頂点までの距離Ｂの方が、中心軸線Ｓから支持面３１ｃまでの距離Ａよりも長くなるように設定されているので、フラッシング位置態様のプラテン部材１８の吸収面３０ａからノズル形成面１５ａまでの距離は、印刷位置態様のプラテン部材１８の支持面３１ｃ上に支持された記録用紙１３からノズル形成面１５ａまでの距離よりも短くなっている。
【００３６】
このため、プラテン部材１８とノズル形成面１５ａとの距離が短くなった分だけ各ノズル１６から吐出されたフラッシングインクがミスト状になって周囲に飛散しにくくなる。この結果、インクジェット式プリンター１１内がフラッシングインクによって汚染されることが抑制されるとともに、該フラッシングインクがインク吸収材３０によって効率よく回収される。
【００３７】
フラッシングが完了すると、プラテン部材１８は、次の記録用紙１３が印刷領域Ｒに進入する前に、回動モーター１９の駆動によりさらに９０度だけ素早く回動されてフラッシング位置態様から印刷位置態様へと変位し、インクジェット式プリンター１１による各記録用紙１３の印刷が継続して行われる。
【００３８】
以上、詳述した実施形態によれば以下の効果を得ることができる。
（１）プラテン部材１８は、ノズル形成面１５ａと垂直な方向において、中心軸線Ｓから吸収面３０ａまでの距離Ｂが中心軸線Ｓから支持面３１ｃまでの距離Ａよりも長くなっている。このため、プラテン部材１８は、印刷位置態様のときよりもフラッシング位置態様のときの方がノズル形成面１５ａとの距離が短くなる。したがって、フラッシングで各ノズル１６から吐出されるフラッシングインクがミスト状になって飛散することを抑制することができる。この結果、インクジェット式プリンター１１内がフラッシングインクによって汚染されることを抑制することができる。
【００３９】
（２）プラテン部材１８の吸収面３０ａは該プラテン部材１８の中心軸線Ｓを中心とした円弧面になっている。このため、プラテン部材１８を印刷位置態様からフラッシング位置態様へと回動させる際の回動角度に多少の誤差があっても、吸収面３０ａとノズル形成面１５ａとの距離が変わらないため、該誤差を吸収することができる。すなわち、プラテン部材１８を印刷位置態様からフラッシング位置態様へと回動させる際の回動角度にそれほど高い精度を必要としない。
また、プラテン部材１８の回転により吸収面３０ａを支持面３１ｃよりノズル形成面１５ａに近づけることができる。プラテン部材１８や記録ヘッド１５を接離する方向に移動して距離を変えることをしていないため、プラテン部材１８や記録ヘッド１５の位置ズレを発生しにくい。すなわち、プラテン部材１８と記録ヘッド１５の距離を精度よく保ちながら、吸収面３０ａを支持面３１ｃよりノズル形成面１５ａに近づけることができる。
【００４０】
（３）プラテン部材１８の周面には、吸収面３０ａ及び支持面３１ｃが該プラテン部材１８の回転方向に沿って２つずつ交互に配置されている。このため、プラテン部材１８の周面に吸収面３０ａ及び支持面３１ｃが該プラテン部材１８の回転方向に沿って１つずつ配置される場合に比べて、プラテン部材１８を印刷位置態様とフラッシング位置態様との間で回動させる際の回動角度が小さくなる。この結果、プラテン部材１８を印刷位置態様とフラッシング位置態様との間で回動させる際の回動時間を短縮することができる。
【００４１】
（４）プラテン部材１８は、吸収面３０ａがインク吸収材３０の一部によって構成され、支持面３１ｃが該インク吸収材３０に取り付けられた支持部材３１の一部によって構成されているため、プラテン部材１８の構成を簡単にすることができる。
【００４２】
（５）プラテン部材１８の支持面３１ｃは平坦面になっているため、記録用紙１３を支持面３１ｃによって安定して支持することができる。
【００４３】
（変更例）
なお、上記実施形態は以下のように変更してもよい。
【００４４】
・図６に示すように、プラテン部材１８においてインク吸収材３０に複数（ここでは３対）のリブ４０を設け、該各リブ４０の先端面によって支持面４０ａを構成してもよい。この場合も、実施形態と同様に、距離Ｂの方が距離Ａよりも長くなるように設定される。また、インク吸収材３０において各リブ４０を設ける面は該インク吸収材３０の一部を平坦に切断することで形成される。
【００４５】
・図７に示すように、プラテン部材１８の周面に吸収面３０ａ及び支持面４１ａを該プラテン部材１８の回転方向に沿って３つずつ交互に配置するようにしてもよい。この場合、支持面４１ａはプラテン部材１８の周面に面一でめり込むように取着された硬質の合成樹脂あるいは金属からなる支持板４１の外側面によって構成される。また、インク吸収材３０において各支持板４１を取着する面は該インク吸収材３０の一部を平坦に切断することで形成される。なお、中心軸線Ｓから吸収面３０ａの頂点までの距離Ｂは、中心軸線Ｓから支持面４１ａまでの距離Ａよりも長くなっている。
【００４６】
・図８に示すように、プラテン部材１８を長手方向から見て長方形となるように形成してもよい。この場合、支持面４１ａはインク吸収材３０の対向する長辺側の２つの面にそれぞれ取着された支持板４１の外側面によって構成される。また、インク吸収材３０において各支持板４１を取着する面及び吸収面４２は該インク吸収材３０の一部を平坦に切断することで形成される。なお、中心軸線Ｓから吸収面４２までの距離Ｂは、中心軸線Ｓから支持面４１ａまでの距離Ａよりも長くなっている。
【００４７】
・上記図８に示すプラテン部材１８を長手方向から見て平行四辺形、台形、あるいは菱形となるように変更してもよい。
・図９に示すように、プラテン部材１８を長手方向から見て８角形となるように形成し、プラテン部材１８の周面に吸収面４２及び支持面４１ａを該プラテン部材１８の回転方向に沿って４つずつ交互に配置するようにしてもよい。この場合、支持面４１ａはインク吸収材３０の周面に取着された支持板４１の外側面によって構成される。また、インク吸収材３０において各支持板４１を取着する面及び吸収面４２は該インク吸収材３０の一部を平坦に切断することで形成される。なお、中心軸線Ｓから吸収面４２までの距離Ｂは、中心軸線Ｓから支持面４１ａまでの距離Ａよりも長くなっている。
【００４８】
・図１０に示すように、プラテン部材１８を、硬質の合成樹脂よりなる略楕円柱状のベース部材４３と、該ベース部材４３の短径側に形成された貫通孔４４に嵌着されたインク吸収材３０とによって構成してもよい。この場合、インク吸収材３０は、長手方向から見て長方形状に形成され、対向する短辺側の２つの面が吸収面４２になっている。また、ベース部材４３の長径側の２つの面は円弧面になっており、該各円弧面が支持面４３ａを構成している。なお、中心軸線Ｓから吸収面４２までの距離Ｂは、中心軸線Ｓから支持面４３ａまでの距離Ａよりも長くなっている。
【００４９】
・図１１に示すように、プラテン部材１８を、硬質の合成樹脂よりなる円柱状のベース部材４６と、該ベース部材４６の周面の一部に長手方向に沿って延びるように形成された角溝４５に嵌着されたインク吸収材３０とによって構成してもよい。この場合、インク吸収材３０は、長手方向から見て長方形状に形成され、先端面が吸収面４２になっている。また、ベース部材４６の周面における角溝４５以外の部分の円弧面は支持面４６ａを構成している。なお、中心軸線Ｓから吸収面４２までの距離Ｂは、中心軸線Ｓから支持面４６ａまでの距離Ａよりも長くなっている。
【００５０】
・プラテン部材１８は、周面に吸収面３０ａ及び支持面３１ｃを少なくとも１つずつ備えてさえいれば、吸収面３０ａ及び支持面３１ｃの数（例えば、５つ以上）や長手方向から見たときの形状（例えば、円形、楕円形、多角形など）を任意に変更してもよい。但し、中心軸線Ｓから吸収面３０ａまでの距離Ｂは、中心軸線Ｓから支持面３１ｃまでの距離Ａよりも長くする必要がある。
【００５１】
・プラテン部材１８において、各支持部材３１を省略するとともにインク吸収材３０の周面の一部を平坦になるように切断し、該切断面を硬くなるように表面加工することで該切断面を支持面としてもよい。
【００５２】
・フラッシングしながら吸収面３０ａの範囲内でプラテン部材１８を回動するようにしてもよい。
・プラテン部材１８を印刷位置態様とフラッシング位置態様との間で回動させる際には、プラテン部材１８を、隣接する片方の吸収面３０ａと片方の支持面３１ｃとがノズル形成面１５ａと交互に対向するように、往復回動するようにしてもよい。
【００５３】
・プラテン部材１８において、中心軸線Ｓと回転中心とを必ずしも一致させる必要はない。すなわち、プラテン部材１８は、中心軸線Ｓからずれるとともに該中心軸線Ｓと平行な軸線を回転中心として回動させるようにしてもよい。
【００５４】
・上記実施形態では、液体噴射装置をインクジェット式プリンター１１に具体化したが、インク以外の他の液体を噴射したり吐出したりする液体噴射装置を採用してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【００５５】
さらに、上記実施形態から把握できる技術的思想を以下に記載する。
（イ）前記吸収部は前記液体を吸収可能な液体吸収材によって構成され、前記支持面は前記液体吸収材に取り付けられた支持面形成部材の表面によって構成されていることを特徴とする請求項１〜請求項３のうちいずれか一項に記載の液体噴射装置。
【００５６】
この構成によれば、回転部材の構成を簡単にすることが可能となる。
（ロ）前記支持面は平坦面になっていることを特徴とする請求項１〜請求項３及び上記（イ）のうちいずれか一項に記載の液体噴射装置。
【００５７】
この構成によれば、ターゲットを支持面によって安定して支持することが可能となる。
【符号の説明】
【００５８】
１１…液体噴射装置としてのインクジェット式プリンター、１３…ターゲットとしての記録用紙、１５…液体噴射ヘッドとしての記録ヘッド、１５ａ…ノズル形成面、１６…ノズル、１８…回転部材としてのプラテン部材、３０…吸収部としてのインク吸収材、３０ａ，４２…吸収面、３１ｃ，４０ａ，４１ａ，４３ａ，４６ａ…支持面、Ｓ…回転中心としての中心軸線Ｓ。
【図１】
2011116122.tif 000003
【図２】
2011116122.tif 000004
【図３】
2011116122.tif 000005
【図４】
2011116122.tif 000006
【図５】
2011116122.tif 000007
【図６】
2011116122.tif 000008
【図７】
2011116122.tif 000009
【図８】
2011116122.tif 000010
【図９】
2011116122.tif 000011
【図１０】
2011116122.tif 000012
【図１１】
2011116122.tif 000013